(57)【要約】      （修正有）【課題】光導波路部材のコネクタに対する接着力を向上させることのできる光導波路部材コネクタキット、光導波路部材コネクタおよびその製造方法を提供すること。【解決手段】コネクタキット１は、光導波路５を備える光電気混載基板２と、光導波路５を収容することができる収容空間２９を有するコネクタ３とを備える。コネクタ３は、光電気混載基板２が収容空間２９に収容されているときに、コネクタ３の外部から光電気混載基板２に至る開口部を有する。光電気混載基板２およびコネクタ３は、光電気混載基板２が収容空間２９に収容されているときに、開口部に連通する中央横溝４０を有する。【選択図】図１
2018173635.tif 000002
【特許請求の範囲】
【請求項１】
光導波路を備える光導波路部材と、
前記光導波路部材を収容することができる収容空間を有するコネクタと
を備え、
前記コネクタは、前記光導波路部材が前記収容空間に収容されているときに、前記コネクタの外部から前記光導波路部材に至る開口部を有し、
前記光導波路部材および前記コネクタの少なくとも一方は、前記光導波路部材が前記収容空間に収容されているときに、前記開口部に連通し、かつ、前記光導波路部材およびコネクタの少なくとも他方に面する溝を有することを特徴とする、光導波路部材コネクタキット。
【請求項２】
前記開口部は、前記光導波路部材が前記収容空間に収容されているときに、前記溝を介して互いに連通するように、複数あることを特徴とする、請求項１に記載の光導波路部材コネクタキット。
【請求項３】
前記コネクタは、
壁を有する本体と、
前記光導波路部材が前記収容空間に収容されているときに、前記光導波路部材を前記壁とともに挟む蓋と
を備えることを特徴とする、請求項１または２に記載の光導波路部材コネクタキット。
【請求項４】
前記光導波路部材は、さらに電気回路基板を備える光電気混載基板であることを特徴とする、請求項１〜３のいずれか一項に記載の光導波路部材コネクタキット。
【請求項５】
請求項１〜４のいずれか一項に記載の光導波路部材コネクタキットにおける前記光導波路部材を前記収容空間に収容する第１工程、および、
前記第１工程の後に、流動性を有する接着剤を前記開口部に注入して、前記接着剤を前記開口部から前記溝に流入させることにより、前記光導波路部材を前記コネクタに接着する第２工程
とを備えることを特徴とする、光導波路部材コネクタの製造方法。
【請求項６】
光導波路部材と、
前記光導波路部材を収容するコネクタと
を備え、
前記コネクタは、前記コネクタの外部から前記光導波路部材に至る開口部を有し、
前記光導波路部材および前記コネクタの少なくとも一方は、前記開口部に連通し、かつ、前記光導波路部材およびコネクタの少なくとも他方に面する溝を有し、
前記開口部および前記溝に、接着剤が充填されていることを特徴とする、光導波路部材コネクタ。
【発明の詳細な説明】
【技術分野】
【０００１】
本発明は、光導波路部材コネクタキット、光導波路部材コネクタおよびその製造方法、詳しくは、光導波路部材コネクタキット、それを用いる光導波路部材コネクタの製造方法、および、それにより製造される光導波路部材コネクタに関する。
【背景技術】
【０００２】
従来より、光導波路をコネクタに収容して光導波路コネクタを製造することが知られている。
【０００３】
前後方向に貫通する通溝と、上下方向に連通する窓部とを有する光導波路用コネクタの通溝に光導波路を前後方向に沿って挿入し、その後、窓部に固定用樹脂材を充填して、光導波路を光導波路用コネクタに固定する方法が提案されている（例えば、特許文献１参照。）。
【先行技術文献】
【特許文献】
【０００４】
【特許文献１】特開２０１１−４８１５７号公報
【発明の概要】
【発明が解決しようとする課題】
【０００５】
しかし、特許文献１の方法では、窓部に充填された固定用樹脂材により、光導波路が光導波路用コネクタに接着されているのみであり、光導波路と光導波路用コネクタとの接着が十分でないという不具合がある。
【０００６】
本発明は、光導波路のコネクタに対する接着力を向上させることのできる光導波路部材コネクタキット、光導波路部材コネクタおよびその製造方法を提供する。
【課題を解決するための手段】
【０００７】
本発明（１）は、光導波路を備える光導波路部材と、前記光導波路部材を収容することができる収容空間を有するコネクタとを備え、前記コネクタは、前記光導波路部材が前記収容空間に収容されているときに、前記コネクタの外部から前記光導波路部材に至る開口部を有し、前記光導波路部材および前記コネクタの少なくとも一方は、前記光導波路部材が前記収容空間に収容されているときに、前記開口部に連通し、かつ、前記光導波路部材およびコネクタの少なくとも他方に面する溝を有する、光導波路部材コネクタキットを含む。
【０００８】
この光導波路部材コネクタキットでは、光導波路が収容空間に収容されているときに、光導波路およびコネクタの少なくとも一方は、開口部に連通し、かつ、光導波路およびコネクタの少なくとも他方に面する溝を有する。そのため、開口部に接着剤を注入すれば、接着剤は、開口部から溝に流入する。その結果、開口部、さらには、溝にも接着剤が充填される。溝に充填された接着剤は、光導波路部材およびコネクタの少なくとも他方に面するので、光導波路部材のコネクタに対する接着力を向上させることができる。
【０００９】
本発明（２）は、前記開口部は、前記光導波路部材が前記収容空間に収容されているときに、前記溝を介して互いに連通するように、複数ある、（１）に記載の光導波路部材コネクタキットを含む。
【００１０】
空気が溝に残存していると、接着剤が溝に流入しにくくなるが、この光導波路部材コネクタキットでは、複数ある開口部のうち、一の開口部から溝に接着剤を流入させれば、他の開口部から空気を逃がすことができる。そのため、接着剤を溝に効率的に充填することができる。その結果、光導波路部材のコネクタに対する接着力をより一層向上させることができる。
【００１１】
本発明（３）は、前記コネクタは、壁を有する本体と、前記光導波路部材が前記収容空間に収容されているときに、前記光導波路部材を前記壁とともに挟む蓋とを備える、（１）または（２）に記載の光導波路部材コネクタキットを含む。
【００１２】
この光導波路部材コネクタキットでは、コネクタが、壁を有する本体と、蓋とを備えるので、光導波路が収容空間に収容されているときに、壁と蓋とによって、光導波路を挟んで、光導波路をコネクタに対して位置決めすることができる。そのため、光導波路およびコネクタを精度よく接着することができる。
【００１３】
本発明（４）は、前記光導波路部材は、さらに電気回路基板を備える光電気混載基板である、（１）〜（３）のいずれか一項に記載の光導波路部材コネクタキットを含む。
【００１４】
この光導波路部材コネクタキットでは、光電気混載基板のコネクタに対する接着力を向上させることができる。
【００１５】
本発明（５）は、（１）〜（４）のいずれか一項に記載の光導波路部材コネクタキットにおける前記光導波路部材を前記収容空間に収容する第１工程、および、前記第１工程の後に、流動性を有する接着剤を前記開口部に注入して、前記接着剤を前記開口部から前記溝に流入させることにより、前記光導波路部材を前記コネクタに接着する第２工程
とを備える、光導波路部材コネクタの製造方法を含む。
【００１６】
この光導波路部材コネクタの製造方法では、第２工程において、開口部とともに溝にも、接着剤を充填することができるので、光導波路部材のコネクタに対する接着力を向上させることができる。
【００１７】
本発明（６）は、光導波路部材と、前記光導波路部材を収容するコネクタとを備え、前記コネクタは、前記コネクタの外部から前記光導波路部材に至る開口部を有し、前記光導波路部材および前記コネクタの少なくとも一方は、前記開口部に連通し、かつ、前記光導波路部材およびコネクタの少なくとも他方に面する溝を有し、前記開口部および前記溝に、接着剤が充填されている、光導波路部材コネクタを含む。
【００１８】
この光導波路部材コネクタでは、開口部とともに溝にも、接着剤が充填されている。そのため、光導波路部材のコネクタに対する接着力を向上することができる。
【発明の効果】
【００１９】
本発明の光導波路部材コネクタキット、光導波路部材コネクタおよびその製造方法によれば、光導波路部材のコネクタに対する接着力を向上させることができる。
【図面の簡単な説明】
【００２０】
【図１】図１Ａ〜図１Ｃは、本発明の第１実施形態のコネクタキットの斜視図であり、図１Ａが、蓋、図１Ｂが、光電気混載基板、図１Ｃが、本体を示す。
【図２】図２Ａ〜図２Ｄは、図１Ａ〜図１Ｃに示す光電気混載基板コネクタキットの平面図および底面図であり、図２Ａが、蓋の底面図、図２Ｂが、光電気混載基板の平面図、図２Ｃが、光電気混載基板の底面図、図２Ｄが、本体の平面図を示す。
【図３】図３は、図１Ａ〜図２Ｄに示す光電気混載基板コネクタキットから製造される光電気混載基板コネクタの斜視図を示す。
【図４】図４は、図３に示す光電気混載基板コネクタの平面図を示す。
【図５】図５は、図４に示す光電気混載基板コネクタであり、図５Ａが、ａ−ａ線に沿う断面図、図５Ｂが、正面図を示す。
【図６】図６は、図４の光電気混載基板コネクタの、ｂ−ｂ線に沿う断面図を示す。
【図７】図７は、図３に示す光電気混載基板コネクタの変形例の斜視図を示す。
【図８】図８Ａ〜図８Ｄは、本発明の第２実施形態および変形例の光電気混載基板コネクタキットの斜視図であり、図８Ａが、蓋の底面図、図８Ｂが、光電気混載基板の平面図、図８Ｃが、光電気混載基板の底面図、図８Ｄが、本体の平面図、図８Ｅが、図８Ｄの仮想線で示す変形例であって、図８Ｄのａ−ａに沿う断面図を示す。
【図９】図９は、図８Ａ〜図８Ｃに示す光電気混載基板コネクタキットから製造される光電気混載基板コネクタの、図８Ｄのａ−ａ線に対応する断面図を示す。
【図１０】図１０は、図９に示す光電気混載基板コネクタの長手方向に沿う断面図を示す。
【図１１】図１１は、図９および図１０に示す光電気混載基板コネクタを後方下側から見た斜視図を示す。
【図１２】図１２Ａ〜図１２Ｄは、本発明の第３実施形態の光電気混載基板コネクタキットの平面図および底面図であり、図１２Ａが、蓋の底面図、図１２Ｂが、光電気混載基板の平面図、図１２Ｃが、光電気混載基板の底面図、図１２Ｄが、本体の平面図を示す。
【図１３】図１３は、図１２Ａ〜図１２Ｃに示す光電気混載基板コネクタキットから製造される光電気混載基板コネクタの、図１２Ａ〜図１２Ｄのａ−ａ線に対応する断面図を示す。
【図１４】図１４は、図１３に示す光電気混載基板コネクタの後方上側から見た斜視図を示す。
【図１５】図１５Ａ〜図１５Ｅは、本発明の第３実施形態および変形例の光電気混載基板コネクタキットの平面図および底面図であり、図１５Ａが、蓋の底面図、図１５Ｂが、光電気混載基板の平面図、図１５Ｃが、光電気混載基板の底面図、図１５Ｄが、本体の平面図、図１５Ｅが、図１５Ｄの仮想線で示す変形例であって、図１５Ｄのａ−ａに沿う断面図を示す。
【図１６】図１６ は、図１５〜図１５Ｅに示す光電気混載基板コネクタキットから製造される光電気混載基板コネクタを、上方先側から見た斜視図を示す。
【図１７】図１７Ａ〜図１７Ｄは、本発明の第３実施形態の変形例の光電気混載基板コネクタキットの平面図および底面図であり、図１７Ａが、蓋の底面図、図１７Ｂが、光電気混載基板の平面図、図１７Ｃが、光電気混載基板の底面図、図１７Ｄが、本体の平面図を示す。
【図１８】図１８Ａ〜図１８Ｄは、さらなる変形例の光電気混載基板コネクタキットの平面図および底面図であり、図１８Ａが、蓋の底面図、図１８Ｂが、光電気混載基板の平面図、図１８Ｃが、光電気混載基板の底面図、図１８Ｄが、本体の平面図を示す。
【図１９】図１９Ａ〜図１９Ｄは、さらなる変形例の光電気混載基板コネクタキットの平面図および底面図であり、図１９Ａが、蓋の底面図、図１９Ｂが、光電気混載基板の平面図、図１９Ｃが、光電気混載基板の底面図、図１９Ｄが、本体の平面図を示す。
【図２０】図２０Ａ〜図２０Ｃは、本発明の具体例１の光電気混載基板コネクタキットの平面図および底面図であり、図２０Ａが、蓋の底面図、図２０Ｂが、光電気混載基板の平面図、図２０Ｃが、光電気混載基板の底面図、図２０Ｄが、本体の平面図を示す。
【図２１】図２１Ａ〜図２１Ｃは、図２０Ａ〜図２０Ｄに示す光電気混載基板コネクタキットから製造される光電気混載基板コネクタの断面図であり、図２１Ａが、ａ−ａ線に沿う断面図、図２１Ｂが、ｂ−ｂ線に沿う断面図、図２１Ａが、ｃ−ｃ線に沿う断面図を示す。
【図２２】図２２は、図２０Ａ〜図２０Ｄに示す光電気混載基板コネクタキットから製造される光電気混載基板コネクタのｄ−ｄ線に沿う断面図を示す。
【図２３】図２３は、図２０Ａ〜図２０Ｄに示す光電気混載基板コネクタキットの斜視図であり、図２３Ａが、蓋、図２３Ｂが、光電気混載基板、図２３Ｃが、本体を示す。
【図２４】図２４は、図２３Ａ〜図２３Ｃに示す光電気混載基板コネクタキットから製造される光電気混載基板コネクタの斜視図を示す。
【図２５】図２５ は、本発明の具体例２の光電気混載基板コネクタキットから製造される光電気混載基板コネクタの長手方向に沿う断面図を示す。
【図２６】図２６Ａ〜図２６Ｃは、本発明の具体例３の光電気混載基板コネクタキットの平面図および底面図であり、図２６Ａが、蓋の底面図、図２６Ｂが、光電気混載基板の平面図、図２６Ｃが、光電気混載基板の底面図、図２６Ｄが、本体の平面図を示す。
【図２７】図２７Ａ〜図２７Ｃは、図２６Ａ〜図２６Ｄに示す光電気混載基板コネクタキットから製造される光電気混載基板コネクタの断面図であり、図２７Ａが、ａ−ａ線に沿う断面図、図２７Ｂが、ｂ−ｂ線に沿う断面図、図２７Ａが、ｃ−ｃ線に沿う断面図を示す。
【図２８】図２８ は、図２６Ａ〜図２６Ｄに示す光電気混載基板コネクタキットから製造される光電気混載基板コネクタのｄ−ｄ線に沿う断面図を示す。
【発明を実施するための形態】
【００２１】
図２Ａ〜図２Ｄにおいて、紙面左右方向は、先後方向（長手方向、第１方向）である。紙面右側が、先側（長手方向一方、第１方向一方）であり、紙面左側が、後側（長手方向他方、第１方向他方）である。
【００２２】
図２Ａ〜図２Ｄにおいて、紙面上下方向は、左右方向（幅方向、第１方向に直交する第２方向）である。紙面上側が、右側（幅方向一方が、第２方向一方）であり、紙面下側が、左側（幅方向他方が、第２方向他方）である。
【００２３】
図２Ａ〜図２Ｄにおいて、紙面紙厚方向は、上下方向（厚み方向、第１方向および第２方向に直交する第３方向）である。紙面手前側が、上側（厚み方向一方、第３方向一方）であり、紙面奥側が、下側（厚み方向他方、第３方向他方）である。
【００２４】
具体的には、方向は、各図の方向矢印に準拠する。
【００２５】
この方向の定義により、後述するコネクタキット１および光電気混載基板コネクタ１８（後述）の製造時および使用時の向きを限定する意図はない。
【００２６】
なお、図４において、中央横溝４０（後述）の形状および配置を明確に示すため、接着剤１９（後述）を省略している。また、各斜視図において、ベース絶縁層７、カバー絶縁層９、アンダークラッド層１０、コア層１１およびオーバークラッド層１２（後述）は、それらを含む電気回路基板４および光導波路５の形状および配置を明確に示すために省略している。
【００２７】
（第１実施形態）
（光電気混載基板コネクタキット１の基本構成）
図１〜図３に示すように、この光電気混載基板コネクタキット１は、光導波路部材の一例としての光電気混載基板２をコネクタ３に装着して、光導波路部材コネクタの一例としての光電気混載基板コネクタ１８を製造するためのキットである。具体的には、コネクタキット１は、光電気混載基板２と、コネクタ３とを別体で備える。
【００２８】
なお、光電気混載基板コネクタキット１は、光電気混載基板コネクタ１８の完成品ではなく、部品のセットであり、コネクタ２および光電気混載基板３は、セット販売される。
【００２９】
以降の説明では、光電気混載基板コネクタキット１は、単にコネクタキット１と呼称する場合がある。
【００３０】
図１Ａ、図２Ｂおよび図２Ｃに示すように、光電気混載基板２は、先後方向に延びる略平板形状を有する。また、光電気混載基板２は、例えば、可撓性（フレキシブル性あるいは塑性）を有する。光電気混載基板２は、例えば、後端部および先端部（後述する装着部１３に相当）の幅方向両端縁が、それら以外の幅方向両端縁に対して外側に位置する平面視形状を有する。図５Ａ、図５Ｂおよび図６に示すように、光電気混載基板２は、後で詳述するが、電気回路基板４と、光導波路５とを上側に向かって順に備える。
【００３１】
電気回路基板４は、光電気混載基板２の下面を形成する。
【００３２】
電気回路基板４は、金属支持層６と、ベース絶縁層７と、導体層８と、カバー絶縁層９とを厚み方向下側に向かって順に備える。
【００３３】
金属支持層６は、導体層８を支持する。金属支持層６は、電気回路基板４の後端部に設けられており、次に説明するベース絶縁層７の先端部および先後方向途中部の下面の露出する。
【００３４】
ベース絶縁層７は、金属支持層６と導体層８とを絶縁する。ベース絶縁層７は、電気回路基板４の全領域に設けられる。ベース絶縁層７の材料としては、例えば、ポリイミドなどの樹脂が挙げられる。ベース絶縁層７の厚みは、例えば、２μｍ以上、６０μｍ以下である。
【００３５】
導体層８は、電気回路基板４における少なくとも後端部に設けられる。また、導体層８は、幅方向に間隔を隔てて複数並列配置されている。導体層８は、配線９０と、その後端部に設けられる端子部９１とを含む。導体層８の材料としては、例えば、導体が挙げられる。導体層８の厚みは、例えば、２μｍ以上、例えば、１００μｍ以下である。
【００３６】
カバー絶縁層９は、配線９０を被覆して保護する保護層である。一方、カバー絶縁層９は、端子部９１を露出する。カバー絶縁層９の材料は、ベース絶縁層７の材料と同様である。カバー絶縁層９の厚みは、例えば、２μｍ以上、６０μｍ以下である。
【００３７】
光導波路５は、光電気混載基板２の上面を形成する。光導波路５は、電気回路基板４の上に位置する。光導波路５は、ストリップ型光導波路であって、具体的には、アンダークラッド層１０と、コア層１１と、オーバークラッド層１２とを上側に向かって順に備える。
【００３８】
アンダークラッド層１０は、光導波路５と同一の平面視形状を有する略板形状を有する。アンダークラッド層１０は、金属支持層６およびベース絶縁層７の上面に設けられる。
【００３９】
コア層１１は、アンダークラッド層１０の上面に設けられる。コア層１１は、幅方向に互いに間隔を隔てて複数配置されている。複数のコア層１１は、先後方向に沿う直線形状を有する。なお、コア層１１は、その後端部において、ミラー面９２を有する。
【００４０】
オーバークラッド層１２は、アンダークラッド層１０の上面に、コア層１１を被覆するように設けられている。オーバークラッド層１２は、アンダークラッド層１０と同一の平面視形状を有する略板形状を有する。
【００４１】
アンダークラッド層１０、コア層１１およびオーバークラッド層１２の材料としては、例えば、エポキシ樹脂などの透明性樹脂が挙げられる。アンダークラッド層１０、コア層１１およびオーバークラッド層１２のうち、コア層１１の屈折率は、アンダークラッド層１０およびオーバークラッド層１２の屈折率に対して、高い。
【００４２】
そして、この光電気混載基板２の先端部は、コネクタ３に装着される装着部１３とされる。
【００４３】
図１Ｂ、図２Ｂおよび図２Ｃに示すように、装着部１３の幅方向両端縁の先後方向中央部は、装着部１３の幅方向両端縁の先後両端部より、幅方向両外側に位置する。そのため、装着部１３は、先後方向中央部が幅方向両外側に突出する２つの基板突出部１４を含む。
【００４４】
２つの基板突出部１４は、平面視略矩形状を有する。具体的には、２つの基板突出部１４のそれぞれは、幅方向に延びる第１先嵌合面１５と、第１先嵌合面１５の後側に間隔を隔てて対向配置される第１後嵌合面１６と、第１先嵌合面１５および第１後嵌合面１６の幅方向外側端縁を連結する第１連結面１７とを有する。
【００４５】
第１先嵌合面１５および第１後嵌合面１６の幅方向長さ（基板突出部１４の突出長さ）は、例えば、０．０１ｍｍ以上、好ましくは、０．０５ｍｍ以上であり、また、例えば、１ｍｍ以下、好ましくは、０．５ｍｍ以下である。第１連結面１７の先後方向長さ（第１先嵌合面１５および第１後嵌合面１６間の長さ）は、例えば、０．０１ｍｍ以上、好ましくは、０．１ｍｍ以上であり、また、例えば、５ｍｍ以下、好ましくは、１ｍｍ以下である。
【００４６】
この電気回路基板４には、後で詳述する２つの中央横溝４０が設けられている。
【００４７】
図１Ａおよび図１Ｃに示すように、コネクタ３において、後述する開口部７０（図３および図４参照）および溝３０を除く基本構成は、例えば、ＪＰＣＡ規格（ＰＭＴ光コネクタの詳細規格、ＪＰＣＡ−ＰＥ０３−０１−０７Ｓ−２００６、社団法人  日本電子回路工業会）に適合するＰＭＴ光コネクタと同一である。
【００４８】
具体的には、コネクタ３は、本体２１と、蓋２２とを別体で備える。
【００４９】
図１Ｃ、図２Ｄおよび図５Ｂに示すように、本体２１は、上側に向かって開放される正面視コ字形状を有する。そのため、本体２１は、その内側に収容空間２９を有する。本体２１は、壁の一例としての底壁２３と、２つの延出壁２４とを一体的に備える。
【００５０】
底壁２３は、左右方向に延びる略矩形平板形状を有する。
【００５１】
延出壁２４は、底壁２３の左右両端縁から上側に延出する形状を有する。２つの延出壁２４のそれぞれは、上下方向に延びる略矩形平板形状を有する。なお、２つの延出壁２４の内面が、底壁２３の底面とともに、光電気混載基板２を収容するための収容空間２９を区画する。
【００５２】
延出壁２４の内面の先後方向中央部は、延出壁２４の内面の先後両端部に対して、幅方向外側に位置する。これにより、延出壁２４の内面の先後方向中央部が、幅方向両外側に凹む本体凹部２５を含む。本体凹部２５は、延出壁２４において内面（収容空間２９に臨む内面）が、幅方向両外側に向かって凹むことにより形成される。
【００５３】
本体凹部２５は、幅方向に延びる第２先嵌合面２６と、第２先嵌合面２６の後側に間隔を隔てて対向配置される第２後嵌合面２７と、第２先嵌合面２６および第２後嵌合面２７の幅方向外側端縁を連結する第２連結面２８とを有する。
【００５４】
図３、図４および図５Ａに示すように、第２先嵌合面２６および第２後嵌合面２７は、光電気混載基板２が収容空間２９に収容されるときに、光電気混載基板２の第１先嵌合面１５および第１後嵌合面１６のそれぞれと、嵌合（接触）できるように構成される。具体的には、第２連結面２８の長さ（第１先嵌合面１５および第１連結面１７間の長さ）は、第１連結面１７の長さと同一である。
【００５５】
また、第２連結面２８は、光電気混載基板２が収容空間２９に収容されるときに、光電気混載基板２の第１連結面１７と、第２先嵌合面２６および第２後嵌合面２７の幅方向両外側部分とともに、開口部７０を形成できるように構成されている。具体的には、第２先嵌合面２６および第２後嵌合面２７の長さ（本体凹部２５の深さ）は、第１先嵌合面１５および第１後嵌合面１６の長さ（基板突出部１４の突出長さ）を、上回る。なお、第２連結面２８の全部は、開口部７０（後述する中央下開口７１および中央上開口７２）を形成するための開口部形成面である。一方、第１連結面１７の全部も、中央下開口７１を形成するための開口部形成面である。
【００５６】
なお、延出壁２４の後端部には、幅方向両外側に突出する鍔部１９が設けられている。
【００５７】
図１Ａ、図２Ａおよび図４に示すように、蓋２２は、先後方向に延びる略矩形平板形状を有する。
【００５８】
また、蓋２２の幅方向両端縁の先後方向中央部は、蓋２２の幅方向両端縁の先後両端部に対して、幅方向両外側に位置する。これによって、蓋２２は、先後方向中央部が幅方向両外側に突出する２つの蓋突出部３０を含む。蓋突出部３０は、幅方向に延びる第３先嵌合面３１と、第３先嵌合面３１の後側に間隔を隔てて対向配置される第３後嵌合面３２と、第３先嵌合面３１および第３後嵌合面３２の幅方向外側端縁を連結する第３連結面３３とを有する。
【００５９】
第３先嵌合面３１および第３後嵌合面３２は、蓋２２が本体２１に取り付けられるときに、本体２１の第２先嵌合面２６および第２後嵌合面２７のそれぞれと嵌合（接触）できる。また、第３先嵌合面３１および第３後嵌合面３２のそれぞれは、光電気混載基板２が収容空間２９に収容され、かつ、蓋２２が本体２１に取り付けられるときに、光電気混載基板２の第１先嵌合面１５および第１後嵌合面１６と同一に位置する。
【００６０】
第３連結面３３は、蓋２２が本体２１に取り付けられるときに、本体２１の第２連結面２８と、本体２１の第２先嵌合面２６および第２後嵌合面２７とともに、開口部７０を形成できるように構成されている。具体的には、第３先嵌合面３１および第３後嵌合面３２の長さ（蓋突出部３０の突出長さ）は、第２先嵌合面２６および第２後嵌合面２７の長さを、下回る。なお、第３連結面３３の長さは、それぞれ、第２連結面２８の長さ、および、基板突出部１４の突出長さと同一である。
【００６１】
第３連結面３３は、中央上開口７２を形成するための開口部形成面である。
【００６２】
蓋２２の先後方向長さは、本体２１の先後方向長さと同一である。
【００６３】
コネクタ３は、例えば、硬質であり、具体的には、後述するように、蓋２２を光電気混載基板２に対して押し付けることができ、かつ、本体２１が蓋２２から押し付けられることができる剛性を有する。
【００６４】
コネクタ３の材料としては、上記した本体２１および蓋２２の形状に精度よく成形でき、さらには、押し付けに耐えうる機械強度を有し、さらに、接着剤１９（後述）との接合性（親和性）に優れれば特に限定されず、例えば、樹脂、金属、好ましくは、樹脂、より好ましくは、硬質の樹脂が挙げられる。
【００６５】
（中央横溝）
そして、図１Ａ〜図２Ｄに示すように、コネクタキット１は、中央横溝４０を備える。
【００６６】
例えば、中央横溝４０は、コネクタキット１における光電気混載基板２、本体２１および／または蓋２２に備えられる。例えば、中央横溝４０は、光電気混載基板２に備えられる第１横溝４１および第２横溝４２と、本体２１に備えられる第３横溝４３と、蓋２２に備えられる第４横溝４４との少なくともいずれかを備える。
【００６７】
次に、中央横溝４０が、第１横溝４１と、第２横溝４２と、第３横溝４３と、第４横溝４４とのすべて（４つ）を備える例を説明する。
【００６８】
なお、第２横溝４２と、第３横溝４３と、第４横溝４４とについては、第１横溝４１と同様である構成等については、その説明を省略する。
【００６９】
図１Ｂ、図２Ｂおよび図６に示すように、第１横溝４１は、光電気混載基板２の上面に設けられている。具体的には、第１横溝４１は、装着部１３における光導波路５の上面に設けられている。詳しくは、第１横溝４１は、装着部１３におけるオーバークラッド層１２の上面において設けられており、幅方向に沿って延びる形状を有する。第１横溝４１は、２つの第１連結面１７の先後方向中央部間にわたって延びる平面視略直線形状を有する。第１横溝４１の幅方向両端縁のそれぞれは、２つの第１連結面１７のそれぞれに露出する。
【００７０】
また、第１横溝４１は、平面視において、コア層１１を横断するように延びる。また、第１横溝４１は、例えば、オーバークラッド層１２の上面を断面略矩形状に切り欠いた形状を有する。但し、第１横溝４１の厚み（深さ）は、コア層１１に到達しないように設定される。つまり、第１横溝４１は、コア層１１を露出せず（寸断せず）、コア層１１と間隔が隔てられている。
【００７１】
第１横溝４１の深さは、例えば、０．００３ｍｍ以上、好ましくは、０．００５ｍｍ以上、より好ましくは、０．０１ｍｍ以上、さらに好ましくは、０．１ｍｍ以上であり、また、例えば、１ｍｍ以下、好ましくは、０．５ｍｍ以下である。第１横溝４１の幅（先後方向長さ）は、例えば、０．００３ｍｍ以上、好ましくは、０．００５ｍｍ以上、より好ましくは、０．０１ｍｍ以上、さらに好ましくは、０．１ｍｍ以上であり、また、例えば、１０ｍｍ以下、好ましくは、３ｍｍ以下である。
【００７２】
図２Ｃおよび図６に示すように、第２横溝４２は、光電気混載基板２の下面に設けられている。具体的には、装着部１３における電気回路基板４の下面に設けられており、幅方向に沿って延びる形状を有する。第２横溝４２は、２つの第１連結面１７の先後方向中央部間にわたって延びる平面視略直線形状を有する。第２横溝４２の幅方向両端縁のそれぞれは、２つの第１連結面１７のそれぞれに露出する。第２横溝４２は、平面視において、配線９０（導体層８）を横断するように延びる。また、第２横溝４２は、例えば、カバー絶縁層９の下面を断面略矩形状に切り欠いた形状を有する。但し、第２横溝４２の厚み（深さ）は、配線９０に到達しないように設定される。つまり、第２横溝４２は、配線９０を露出せず（寸断せず）、配線９０と間隔が隔てられている。
【００７３】
第２横溝４２の平面視における配置および幅は、第１横溝４１のそれらと同一である。なお、第２横溝４２の深さは、例えば、０．００３ｍｍ以上、好ましくは、０．００５ｍｍ以上、より好ましくは、０．０１ｍｍ以上、さらに好ましくは、０．１ｍｍ以上であり、また、例えば、１ｍｍ以下、好ましくは、０．５ｍｍ以下である。
【００７４】
図１Ｃ、図２Ｄおよび図６に示すように、第３横溝４３は、本体２１に設けられている。具体的には、第３横溝４３は、底壁２３の底面に設けられている。第３横溝４３は、２つの第２連結面２８の先後方向中央部間にわたって延びる平面視略直線形状を有する。第３横溝４３の断面形状、深さおよび幅は、第１横溝４１のそれらと同一である。
【００７５】
図２Ａおよび図６に示すように、第４横溝４４は、蓋２２の下面に設けられている。具体的には、第４横溝４４は、２つの第３連結面３３の先後方向中央部間にわたって延びる平面視略直線形状を有する。第４横溝４４の平面視における配置は、第２横溝４２のそれと同様である。
【００７６】
第１横溝４１、第２横溝４２、第３横溝４３および第４横溝４４は、光電気混載基板２が収容空間２９に収容され、かつ、蓋２２が本体２１に取り付けられるときに、先後方向において完全に重複する。
【００７７】
（光電気混載基板コネクタの製造方法）
次に、コネクタキット１を用いて、光電気混載基板コネクタ１８を製造する方法を説明する。
【００７８】
コネクタキット１を製造するには、図１Ａ〜図１Ｄに示すように、まず、上記した光電気混載基板２および上記したコネクタ３を準備する。
【００７９】
次いで、光電気混載基板２をコネクタ３に装着する。具体的には、光電気混載基板２の装着部１３をコネクタ３の収容空間２９に収容する（第１工程）。
【００８０】
第１工程では、まず、電気回路基板４が下を向き、光導波路５が上を向くようにした状態で、光電気混載基板２を本体２１の底壁２３に載置する。
【００８１】
図１Ｂ、図１Ｃおよび図３が参照されるように、この際、基板突出部１４の第１先嵌合面１５および第１後嵌合面１６のそれぞれが、本体凹部２５の第２先嵌合面２６および第２後嵌合面２７のそれぞれに嵌合（面接触）するように、基板突出部１４を本体凹部２５の幅方向内側部分に収容する（嵌め込む）。一方、図４に示すように、基板突出部１４の第１連結面１７と、本体凹部２５の第２連結面２８との間には、間隔が隔てられ、これによって、図５Ａに示すように、中央下開口７１が形成される。
【００８２】
なお、図５Ｂに示すように、装着部１３において基板突出部１４以外の部分の幅方向両側面は、本体２１の延出壁２４の内面に接触する。
【００８３】
その後、蓋２２を光電気混載基板２に押し付ける。
【００８４】
この際、図１Ａ〜図１Ｄおよび図５Ａに示すように、蓋突出部３０の第３先嵌合面３１および第３後嵌合面３２のそれぞれが、本体凹部２５の第２先嵌合面２６および第２後嵌合面２７のそれぞれに嵌合（面接触）するように、蓋突出部３０を本体凹部２５の幅方向内側部分に収容する（嵌め込む）。一方、蓋突出部３０の第３連結面３３と、本体凹部２５の第２連結面２８との間には、間隔が隔てられ、これによって、中央上開口７２が形成される。
【００８５】
そして、中央下開口７１および中央上開口７２は、開口部７０を形成する。開口部７０は、中央下開口７１および中央上開口７２が上下に連通することにより、上下方向に延びる形状を有する。具体的には、開口部７０は、外部から光電気混載基板２およびコネクタ３の本体２１に至る、接着剤１９を注入するための接着剤注入孔とされる。
【００８６】
図４に示すように、開口部７０は、２つの第３連結面３３、２つの第１連結面１７と、２つの第２連結面２８とに対応して、蓋突出部３０の左右両側に２つ設けられる。
【００８７】
すると、中央横溝４０は、２つの開口部７０に連通する。
【００８８】
具体的には、第１横溝４１および第２横溝４２の幅方向両端縁のそれぞれが、２つの第１連結面１７のそれぞれから２つの開口部７０のそれぞれに連通する。
【００８９】
第３横溝４３の幅方向両端縁のそれぞれが、底壁２３の底面から２つの開口部７０のそれぞれに連通する。
【００９０】
第４横溝４４の幅方向両端縁のそれぞれが、蓋２２の下面から２つの開口部７０のそれぞれに連通する。
【００９１】
図６に示すように、第１横溝４１は、蓋２２に面する。より具体的には、第１横溝４１は、第４横溝４４に面する。
【００９２】
一方、第４横溝４４は、光導波路５（光電気混載基板２）に面する。
【００９３】
また、第２横溝４２は、本体２１（底壁２３）に面する。より具体的には、第２横溝４２は、第３横溝４３に面する。
【００９４】
一方、第３横溝４３は、電気回路基板４（光電気混載基板２）に面する
蓋２２の光電気混載基板２に対する押し付けの圧力は、光電気混載基板２が本体２１および蓋２２に対して相対的に移動しない程度に設定される。
【００９５】
蓋２２の光電気混載基板２に対する押し付けによって、光電気混載基板２は、本体２１に対して位置決めされて、仮固定される。その際、光電気混載基板２が、可撓性に基づいて歪み（たわみや反りなど）を有する場合には、上記した押し付けによって、塑性変形して、面方向に沿う平板形状となる。
【００９６】
その後、図５に示すように、流動性を有する接着剤１９を、２つの開口部７０のうちの左側の開口部７０のみに注入して、接着剤１９を開口部７０から中央横溝４０に流入させる（第２工程）。
【００９７】
接着剤１９は、例えば、液状または半固形状である。好ましくは、中央横溝４０における優れた流動性を得る観点から、液状である。また、接着剤１９は、例えば、硬化型、感圧接着型が挙げられ、好ましくは、優れた流動性（未硬化時における優れた流動性）、高い接着性を得る観点から、硬化型が挙げられる。
【００９８】
接着剤１９は、左側の開口部７０に上側から注入されると、左側の開口部７０から、４つの中央横溝４０に流入する。そして、４つの中央横溝４０に充填される。具体的には、接着剤１９は、左側の開口部７０から４つの中央横溝４０を充填しながら通過し、その後、右側の開口部７０に至る。なお、右側の開口部７０にも接着剤１９が、部分的あるいは完全に充填される。
【００９９】
図６に示すように、第１横溝４１および第４横溝４４に充填された接着剤１９は、光電気混載基板２および蓋２２の両方に接触（密着）する。第２横溝４２および第３横溝４３に充填された接着剤１９は、光電気混載基板２および本体２１の両方に接触（密着）する。
【０１００】
続いて、接着剤１９が硬化型であれば、これを硬化させる。
【０１０１】
接着剤１９によって、光電気混載基板２は、本体２１および蓋２２（コネクタ３）に、接着されて固定される（第２工程）。
【０１０２】
これによって、光電気混載基板２と、これを収容するコネクタ３とを備え、中央横溝４０および開口部７０に接着剤１９が充填された光電気混載基板コネクタ１８が製造される。
【０１０３】
その後、光電気混載基板コネクタ１８におけるコア層１１を、別の光導波路や光ケーブルなど光学部材に光学的に接続する。
【０１０４】
そして、このコネクタキット１では、光電気混載基板２が収容空間２９に収容されているときに、光電気混載基板２およびコネクタ３は、開口部７０に連通し、かつ、光電気混載基板２およびコネクタ３の両方に面する中央横溝４０を有する。そのため、開口部７０に接着剤１９を注入すれば、接着剤１９は、開口部７０から中央横溝４０に流入する。その結果、開口部７０、さらには、中央横溝４０にも接着剤１９が充填される。中央横溝４０に充填された接着剤１９は、光電気混載基板２およびコネクタ３の両方に面するので、光電気混載基板２のコネクタ３に対する接着力を向上させることができる。
【０１０５】
空気が中央横溝４０に残存していると、接着剤１９を中央横溝４０に流入しにくくなるが、このコネクタキット１では、例えば、２つの開口部７０のうち、左側の開口部７０から中央横溝４０に接着剤１９を流入させるので、右側の開口部７０から空気を逃がすことができる。そのため、接着剤１９を中央横溝４０に効率的に充填することができる。その結果、光電気混載基板２のコネクタ３に対する接着力をより一層向上させることができる。
【０１０６】
コネクタ３は、底壁２３と蓋２２とを備えるので、光電気混載基板２が収容空間２９に収容されているときに、底壁２３と蓋２２とによって、光電気混載基板２を上下方向に圧力をかけながら挟み込んで、光電気混載基板２をコネクタ３に対して位置決めすることができる。そのため、光電気混載基板２およびコネクタ３を精度よく接着することができる。
【０１０７】
このコネクタキット１では、光電気混載基板２のコネクタ３に対する接着力を向上させることができる。
【０１０８】
この光電気混載基板コネクタ１８の製造方法によれば、第２工程において、開口部７０とともに中央横溝４０にも接着剤１９を充填することができるので、光電気混載基板２のコネクタ３に対する接着力を向上させることができる。
【０１０９】
この光電気混載基板コネクタ１８では、開口部７０とともに中央横溝４０にも、接着剤１９が充填されている。そのため、光電気混載基板２のコネクタ３に対する接着力を向上することができる。
【０１１０】
（変形例）
次に、第１実施形態の変形例を説明する。以下の各変形例において、上記した第１実施形態と同様の部材および工程については、同一の参照符号を付し、その詳細な説明を省略する。また、各変形例を適宜組み合わせることができる。さらに、各変形例は、特記する以外、第１実施形態と同様の作用効果を奏することができる。
【０１１１】
図２Ａ〜図２Ｄに示すように、第１実施形態のコネクタキット１は、中央横溝４０は、第１横溝４１、第２横溝４２、第３横溝４３および第４横溝４４を備える。しかし、中央横溝４０は、これに限定されない。例えば、第１横溝４１、第２横溝４２、第３横溝４３および第４横溝４４からなる群から、いずれか３つ、また、いずれか２つ、さらには、いずれか１つを選択して備えることができる。
【０１１２】
また、各中央横溝４０、つまり、第１横溝４１、第２横溝４２、第３横溝４３および第４横溝４４のそれぞれは、１つであるが、その数は、これに限定されず、複数であってもよい。
【０１１３】
第１実施形態では、図６の実線で示すように、厚み方向および先後方向に沿う断面において、４つの中央横溝４０は、先後方向において同一位置に配置されている。
【０１１４】
しかし、図６の仮想線で示すように、４つの中央横溝４０は、例えば、部分的または完全にずれることもできる。
【０１１５】
例えば、光電気混載基板２が収容空間２９に収容され、かつ、蓋２２が本体２１に取り付けられるときに、第４横溝４４が、例えば、第１横溝４１に対して先側に間隔を隔てて配置される。これにより、第１横溝４１および第４横溝４４が、先後方向にずれる。この場合には、第１横溝４１は、蓋２２における第４横溝４４以外の下面に面する一方、第４横溝４４は、光電気混載基板２における第１横溝４１以外の上面に面する。
【０１１６】
一方、図６の実線で示すように、第１横溝４１および第４横溝４４が、先後方向において同一位置に配置される場合には、第１横溝４１および第４横溝４４が連通する。かかる（境界部分）に充填される接着剤１９は、光電気混載基板２および蓋２２のいずれにも接触しない。
【０１１７】
他方、図６の仮想線で示すように、第１横溝４１および第４横溝４４が先後方向にずれれば、第１横溝４１に充填される接着剤１９は、蓋２２における上記した下面に接触し、第４横溝４４に充填される接着剤１９は、光電気混載基板２における上記した上面に接触する。そのため、接着剤１９の蓋２２および光電気混載基板２に対する接触面積を増大させることができる。その結果、蓋２２と光電気混載基板２との接着力をより一層向上させることができる。
【０１１８】
また、光電気混載基板２が収容空間２９に収容され、かつ、蓋２２が本体２１に取り付けられるときに、第２横溝４２が、例えば、第３横溝４３に対して後側に間隔を隔てて配置される。これにより、第２横溝４２および第３横溝４３が、先後方向に完全にずれる。この場合には、第２横溝４２は、本体２１における第３横溝４３以外の上面（底壁２３の底面）に面する一方、第３横溝４３は、光電気混載基板２における第２横溝４２以外の下面に面する。
【０１１９】
一方、図６の実線で示すように、第２横溝４２および第３横溝４３が、先後方向において同一位置に配置される場合には、第２横溝４２および第３横溝４３が連通する。かかる（境界部分）に充填される接着剤１９は、光電気混載基板２および蓋２２のいずれにも接触しない。
【０１２０】
他方、図６の仮想線で示すように、第２横溝４２および第３横溝４３が先後方向にずれれば、第２横溝４２に充填される接着剤１９は、本体２１における上記した上面に接触し、第３横溝４３に充填される接着剤１９は、光電気混載基板２における上記した下面に接触する。そのため、接着剤１９の本体２１および光電気混載基板２に対する接触面積を増大させることができる。その結果、本体２１と光電気混載基板２との接着力をより一層向上させることができる。
【０１２１】
図４に示すように、第１実施形態では、開口部７０は、第２連結面２８の先後方向の全てによって、形成している。しかし、図２Ａ〜図２Ｃの仮想線および図７の実線で示すように、第２連結面２８の先後方向の一部を開口部形成面とすることによって、開口部７０を形成することもできる。
【０１２２】
２つの蓋突出部３０のそれぞれは、その先後方向中央部において、内側に向かって凹む蓋凹部３４を含む。蓋凹部３４は、第３連結面３３から内側に平面視略矩形状に凹むとともに、厚み方向に沿って切り欠かれている。一方、蓋２２が本体２１に取り付けられるときに、第３連結面３３において、蓋凹部３４よりも先後両側に位置する部分は、第２連結面２８に接触する。これによって、蓋２２が本体２１に取り付けられるときに、第２連結面２８の先後方向中央部と、蓋凹部３４の内面とは、中央上開口７２（開口部７０）を形成する。
【０１２３】
また、蓋２２に蓋突出部３０を設けることなく、本体凹部２５の第２連結面２８によって、開口部７０を形成することができる。この場合には、蓋２２の幅方向両端面は、平面視略直線形状である。
【０１２４】
また、装着部１３に基板突出部１４を設けることなく、装着部１３を収容空間２９に収容することもできる。この場合には、装着部１３の幅方向両端面は、平面視略直線形状である。
【０１２５】
好ましくは、装着部１３に基板突出部１４を設ける。基板突出部１４の第１先嵌合面１５および第１後嵌合面１６は、本体凹部２５の第２先嵌合面２６および第２後嵌合面２７と嵌合して、装着部１３の本体２１に対する先後方向における位置決めを実施することができる。
【０１２６】
また、図２Ａ〜図２Ｄの仮想線で示すように、２つの基板突出部１４は、蓋凹部３４と同一形状の基板凹部３５を含むことができる。この場合には、光電気混載基板２が収容空間２９に収容されるときに、第２連結面２８の先後方向中央部と、基板凹部３５の内面とは、中央下開口７１（開口部７０）を形成する。
【０１２７】
図５Ａの矢印で示すように、第１実施形態では、接着剤１９を左側の開口部７０に注入している。しかし、これに限定されず、例えば、接着剤１９を、左右両側の開口部７０に注入することもできる。
【０１２８】
好ましくは、接着剤１９を、２つの開口部７０のうち、一方の開口部７０に注入する。これによれば、他方の開口部７０を、中央横溝４０に残存する空気の逃げ道（逃げ通路）としたり、あるいは、中央横溝４０を通過した、接着剤１９の先端を確認する確認窓として用いることができる。
【０１２９】
図３および図４に示すように、第１実施形態では、開口部７０は、２つ設けられている。しかし、その数は、限定さない。図示しないが、開口部７０は、左右いずれか１つであってもよい。
【０１３０】
好ましくは、開口部７０は、複数（２つ）設けられる。これによれば、一方を注入用の開口として用い、残り（他方）を、上記した空気の逃げ道、あるいは、確認窓として用いることができる。
【０１３１】
また、図７の仮想線で示すように、第１側開口部７７を延出壁２４に設けることもできる。
【０１３２】
この場合には、蓋２２が本体２１に取り付けられるときに、本体２１の第２連結面２８のすべてと、蓋２２の第３連結面３３のすべてとは、完全に接触する。これによって、本体２１および蓋２２の接触に基づく中央上開口７２（図５参照）は、形成されない。
【０１３３】
そして、第１側開口部７７は、本体２１のみによって形成された開口であって、具体的には、延出壁２４の厚み方向（本体２１の幅方向）を貫通する貫通孔である。第１側開口部７７は、外部と開口部７０とを連通する。
【０１３４】
図２７Ａに示すように、左右両側にそれぞれ２つある第１側開口部７７は、上下方向における位置が異なっていてもよく、あるいは、図２７Ｂ（の符号２８）が参照されるように、同一位置にあってもよい。
【０１３５】
２つの第１側開口部７７が同一位置にあれば、本体２１の成形が容易となる。
【０１３６】
一方、図２７Ａに示すように、２つの第１側開口部７７の上下方向位置が異なれば、第２工程において、高い位置にある第１側開口部７７から接着剤１９を注入し、その後、中央横溝４０を充填しながら流入させた後、接着剤１９の先端を、低い位置にある第１側開口部７７から接着剤１９が溢れる（漏れる）ことが許容され、さらには、それを確認できる。そのため、接着剤１９の中央横溝４０に対する充填を簡単に確認することができる。
【０１３７】
また、第１実施形態では、電気回路基板４は、金属支持層６と、ベース絶縁層７と、導体層８と、カバー絶縁層９とを下側に向かって順に備えるが、例えば、図示しないが、それらを上側に向かって順に備えることもできる。
【０１３８】
また、第１実施形態では、光導波路５は、アンダークラッド層１０と、コア層１１と、オーバークラッド層１２とを上側に向かって順に備えるが、例えば、図示しないが、それらを下側に向かって順に備えることもできる。
【０１３９】
また、第１実施形態では、光電気混載基板２は、電気回路基板４と、光導波路５とを上側に向かって順に備えるが、例えば、図示しないが、それらを下側に向かって順に備えることもできる。
【０１４０】
（第２実施形態）
次に、第２実施形態を説明する。第２実施形態において、上記した第１実施形態と同様の部材および工程については、同一の参照符号を付し、その詳細な説明を省略する。また、第２実施形態は、特記する以外、第１実施形態と同様の作用効果を奏することができる。
【０１４１】
図８Ａ〜図８Ｄおよび図９に示すように、コネクタキット１は、さらに、後縦溝５０（第１方向他方側に配置される第１方向他方側溝の一例）を備える。後縦溝５０は、例えば、光電気混載基板２、本体２１および／または蓋２２に備えられる。具体的には、後縦溝５０は、例えば、光電気混載基板２に備えられる第１後縦溝５１および第２後縦溝５２と、本体２１に備えられる第３後縦溝５３と、蓋２２に備えられる第４後縦溝５４との少なくともいずれかを備える。
【０１４２】
次に、後縦溝５０は、第１後縦溝５１と、第２後縦溝５２と、第３後縦溝５３と、第４後縦溝５４とのすべて（４つ）を備える例を説明する。
【０１４３】
第１後縦溝５１と、第２後縦溝５２と、第３後縦溝５３と、第４後縦溝５４とは、いずれも、先後方向に延びる形状を有する。
【０１４４】
以下、第１後縦溝５１と、第２後縦溝５２と、第３後縦溝５３と、第４後縦溝５４とを順に説明する。なお、第２後縦溝５２と、第３後縦溝５３と、第４後縦溝５４とについては、第１後縦溝５１と同様である構成等については、その説明を省略する。
【０１４５】
図８Ｂ、図９および図１０に示すように、第１後縦溝５１は、光電気混載基板２の上面に設けられている。具体的には、第１後縦溝５１は、装着部１３およびその直ぐ後側における光導波路５の上面に設けられている。第１後縦溝５１は、装着部１３の中央部から後方に延びる平面視略直線形状を有する。第１後縦溝５１の先端部は、第１横溝４１に連通している。一方、第１後縦溝５１の後端部は、蓋２２の後端面から後側に配置される。第１後縦溝５１は、平面視において、コア層１１に平行する。第１後縦溝５１の厚み（深さ）は、第１横溝４１のそれと同一である。
【０１４６】
図８Ｃ、図９および図１０に示すように、第２後縦溝５２は、光電気混載基板２の下面に設けられている。第２後縦溝５２は、装着部１３およびその直ぐ後側における光導波路５の下面に設けられている。第２後縦溝５２は、装着部１３の中央部から後方に延びる平面視略直線形状を有する。第２後縦溝５２の先端部は、第２横溝４２に連通している。一方、第２後縦溝５２の後端部は、本体２１の後端面から後側に配置される。第２後縦溝５２は、平面視において、コア層１１および配線９０に平行する。要するに、第２後縦溝５２は、光電気混載基板２の上下方向中心に沿う仮想面に対して、面対称に配置および形成されている。
【０１４７】
図８Ｄ、図９および図１０に示すように、第３後縦溝５３は、本体２１に設けられている。具体的には、第３後縦溝５３は、底壁２３の底面に設けられている。具体的には、第３後縦溝５３は、底壁２３の中央部から後方に延びる平面視略直線形状を有する。第３後縦溝５３の先端部は、第３横溝４３に連通している。一方、第３後縦溝５３の後端縁は、底壁２３の後端面から露出する。第３後縦溝５３は、光電気混載基板２が収容空間２９に収容されるときに、平面視において、コア層１１に平行する。第３後縦溝５３の断面形状、深さおよび幅は、第１後縦溝５１のそれらと同一である。
【０１４８】
図８Ａ、図９および図１０に示すように、第４後縦溝５４は、蓋２２の下面に設けられている。具体的には、第４後縦溝５４は、蓋２２の中央部から後側に延びる平面視略直線形状を有する。第４後縦溝５４の後端部は、蓋２２の後端面に露出する。第４後縦溝５４の先端部は、第４横溝４４に連通する。第４後縦溝５４の断面形状、深さおよび幅は、第１後縦溝５１のそれらと同一である。
【０１４９】
図９および図１０に示すように、第１後縦溝５１、第２後縦溝５２、第３後縦溝５３および第４後縦溝５４は、光電気混載基板２が収容空間２９に収容され、かつ、蓋２２が本体２１に取り付けられるときに、幅方向において完全に重複する。
【０１５０】
一方、図１０に示すように、第１後縦溝５１の後端部は、蓋２２から上側に向かって露出する。第２後縦溝５２の後端部は、本体２１から下側に向かって露出する。
【０１５１】
第２実施形態では、第２工程において、接着剤１９が、開口部７０および中央横溝４０を介して、後縦溝５０に流入する。詳しくは、接着剤１９は、中央横溝４０の幅方向中央部から後縦溝５０の先端部に至り、その後、接着剤１９は、後縦溝５０を充填しながら、後側に向かって進行する。
【０１５２】
その後、第４後縦溝５４および第１後縦溝５１の後端縁から、過剰の接着剤１９が溢れて（逃げて）も、光電気混載基板２および蓋２２の先端面が別の光学部材と接続される一方、蓋２２の後端部は、上記した接続に用いられないことから、そのような溢れ（逃げ）は、光導波路５の先端面を被覆（汚染）しない。
【０１５３】
また、第２後縦溝５２および第３後縦溝５３の後端縁から、過剰の接着剤１９が溢れて（逃げて）も、光電気混載基板２および本体２１の先端面が別の光学部材と接続される一方、本体２１の後端部は、上記した接続に用いられないことから、そのような溢れ（逃げ）は、光導波路５の先端面を被覆（汚染）しない。
【０１５４】
第２実施形態によれば、コネクタ３および光電気混載基板２の接着に必要な量（必要量）を超える過剰の接着剤１９を開口部７０、中央横溝４０および後縦溝５０に注入しても、過剰の接着剤１９の上記した溢れが許容される。そのため、必要量を後縦溝５０に充填することができる。その結果、コネクタ３および光電気混載基板２を強固に接着することができる。
【０１５５】
（変形例）
次に、第２実施形態の変形例を説明する。以下の各変形例において、上記した第２実施形態と同様の部材および工程については、同一の参照符号を付し、その詳細な説明を省略する。また、各変形例を適宜組み合わせることができる。さらに、各変形例は、特記する以外、第２実施形態と同様の作用効果を奏することができる。
【０１５６】
図８Ａ〜図８Ｄに示すように、第２実施形態のコネクタキット１は、後縦溝５０は、第１後縦溝５１、第２後縦溝５２、第３後縦溝５３および第４後縦溝５４を備える。しかし、後縦溝５０は、これに限定されない。例えば、第１後縦溝５１、第２後縦溝５２、第３後縦溝５３および第４後縦溝５４からなる群から、いずれか３つ、また、いずれか２つ、さらには、いずれか１つを選択して備えることができる。
【０１５７】
また、各後縦溝５０、つまり、第１後縦溝５１、第２後縦溝５２、第３後縦溝５３および第４後縦溝５４のそれぞれは、１つであるが、その数は、これに限定されず、複数であってもよい。
【０１５８】
また、第２実施形態では、図９に示すように、厚み方向および幅方向に沿う断面において、４つの後縦溝５０は、幅方向において同一位置に配置されている。
【０１５９】
しかし、図９の仮想線で示すように、例えば、部分的または完全にずれることもできる。
【０１６０】
例えば、光電気混載基板２が収容空間２９に収容され、かつ、蓋２２が本体２１に取り付けられるときに、第４後縦溝５４が、例えば、第１後縦溝５１に対して右側に間隔を隔てて配置される。これにより、第１後縦溝５１および第４後縦溝５４が、左右（幅）方向にずれる。この場合には、第１後縦溝５１は、蓋２２における第４後縦溝５４以外の下面に面する一方、第４後縦溝５４は、光電気混載基板２における第１後縦溝５１以外の上面に面する。
【０１６１】
一方、図９の実線で示すように、第１後縦溝５１および第４後縦溝５４が、幅方向において同一位置に配置される場合には、第１後縦溝５１および第４後縦溝５４が連通する。かかる（境界部分）に充填される接着剤１９は、光電気混載基板２および蓋２２のいずれにも接触しない。
【０１６２】
他方、図９の仮想線で示すように、第１後縦溝５１および第４後縦溝５４が幅方向にずれれば、第１後縦溝５１に充填される接着剤１９は、蓋２２における上記した下面に接触し、第４後縦溝５４に充填される接着剤１９は、光電気混載基板２における上記した上面に接触する。そのため、接着剤１９の蓋２２および光電気混載基板２に対する接触面積を増大させることができる。その結果、蓋２２と光電気混載基板２との接着力をより一層向上させることができる。
【０１６３】
また、光電気混載基板２が収容空間２９に収容され、かつ、蓋２２が本体２１に取り付けられるときに、第２後縦溝５２が、例えば、第３後縦溝５３に対して左側に間隔を隔てて配置される。これにより、第２後縦溝５２および第３後縦溝５３が、左右（幅）方向に完全にずれる。この場合には、第２後縦溝５２は、本体２１における第３後縦溝５３以外の上面（底壁２３の底面）に面する一方、第３後縦溝５３は、光電気混載基板２における第２後縦溝５２以外の下面に面する。
【０１６４】
一方、図９の実線で示すように、第２後縦溝５２および第３後縦溝５３が、先後方向において同一位置に配置される場合には、第２後縦溝５２および第３後縦溝５３が連通する。かかる（境界部分）に充填される接着剤１９は、光電気混載基板２および蓋２２のいずれにも接触しない。
【０１６５】
他方、図９の仮想線で示すように、第２後縦溝５２および第３後縦溝５３が先後方向にずれれば、第２後縦溝５２に充填される接着剤１９は、本体２１における上記した上面に接触し、第３後縦溝５３に充填される接着剤１９は、光電気混載基板２における上記した下面に接触する。そのため、接着剤１９の本体２１および光電気混載基板２に対する接触面積を増大させることができる。その結果、本体２１と光電気混載基板２との接着力をより一層向上させることができる。
【０１６６】
図８Ｄの実線で示すように、第２工程において、第３後縦溝５３は、底壁２３に設けられる。しかし、図８Ｄの仮想線および図８Ｅの実線で示すように、第３後縦溝５３を、延出壁２４に設けることもできる。
【０１６７】
第３後縦溝５３は、２つの延出壁２４のそれぞれの内面に設けられている。
【０１６８】
また、第３後縦溝５３を延出壁２４に設け、さらに、第３後縦溝５３の厚み（高さ）が、装着部１３（光電気混載基板２）の厚みより厚いか同一である場合において、第１工程において、本体２１および蓋２２を一体にしたコネクタ３とすることができる。この場合には、装着部１３の左右両端部を、後側から第３後縦溝５３に先側に向けて挿入する。
【０１６９】
好ましくは、本体２１および蓋２２を別体で、コネクタ３を構成する。これによれば、蓋２２によって、装着部１３を押し付けることができるので、装着部１３の本体２１に対する位置ずれを抑制して、光電気混載基板２を精度よくコネクタ３に接着して装着することができる。
【０１７０】
また、第２実施形態では、コネクタ３は、中央横溝４０を備える。
【０１７１】
しかし、図１２Ａ〜図１４に示すように、コネクタ３は、中央横溝４０に代えて、第３開口部７３を備えることができる。第３開口部７３は、光電気混載基板２が収容空間２９に収容され、かつ、蓋２２が本体２１に取り付けられるときに、後縦溝５０の先端部に連通する。第３開口部７３は、第４開口部７４および第５開口部７５を含む。
【０１７２】
第４開口部７４は、光電気混載基板２に設けられる。第４開口部７４は、光電気混載基板２の装着部１３における中央部において、光電気混載基板２を厚み方向に貫通する貫通孔である。第４開口部７４は、装着部１３の幅方向両端縁に対して幅方向内側に間隔が隔てられる。第４開口部７４は、平面視略矩形状を有する。第４開口部７４は、第１後縦溝５１および第２後縦溝５２の先端部に連続する。
【０１７３】
第５開口部７５は、蓋２２に設けられる。第５開口部７５は、蓋２２における中央部において、蓋２２を厚み方向に貫通する貫通孔である。第５開口部７５は、蓋２２の幅方向両端縁に対して幅方向内側に間隔が隔てられる。第５開口部７５は、光電気混載基板２が収容空間２９に収容され、かつ、蓋２２が本体２１に取り付けられるときに、平面視において、第４開口部７４を含み、第４開口部７４に対して大きい平面視略矩形状を有する。第５開口部７５は、第４後縦溝５４の先端部に連続する。
【０１７４】
そして、第３開口部７３は、光電気混載基板２が収容空間２９に収容され、かつ、蓋２２が本体２１に取り付けられるときに、後縦溝５０に連通する。
【０１７５】
この変形例では、第２工程において、第３開口部７３に接着剤１９を注入する。すると、接着剤１９は、第３開口部７３から後縦溝５０に流入する。
【０１７６】
なお、第３開口部７３の形状は、特に限定されず、例えば、平面視略円形状であってもよい。
【０１７７】
上記の変形例では、図１２Ａ〜図１４に示すように、第３開口部７３を蓋２２に設けているが、図示しないが、例えば、底壁２３に設けることもできる。底壁２３に設けられる第３開口部７３（図１２Ａ〜図１４において図示せず）は、第７開口部となる。第７開口部は、第３開口部７３に、光電気混載基板２の第４開口部７４とともに含まれる。つまり、第３開口部７３は、第７開口部（図示せず）および第４開口部７４を備える。
【０１７８】
第７開口部は、底壁２３における中央部において、底壁２３を厚み方向に貫通する貫通孔である。第７開口部は、光電気混載基板２が収容空間２９に収容され、かつ、蓋２２が本体２１に取り付けられるときに、平面視において、第４開口部７４を含み、第４開口部７４に対して大きい平面視略矩形状を有する。第７開口部は、図１２Ｄに示す第３後縦溝５３の先端部に連続する。第７開口部は、光電気混載基板２における第２後縦溝５２の先端部を下側に露出させている。
【０１７９】
一方、蓋２２には、第３開口部７３が設けられていない。そのため、蓋２２は、光電気混載基板２を上側から閉塞している。
【０１８０】
この変形例では、接着剤１９は、第７開口部を介して、底壁２３の第３後縦溝５３と、光電気混載基板２の第１後縦溝５１および第２後縦溝５２と、蓋２２の第４後縦溝５４とに流入される。
【０１８１】
なお、第３開口部７３は、第４開口部７４を備えず、第７開口部のみからなることもできる。この場合には、接着剤１９は、第７開口部を介して、底壁２３の第３後縦溝５３と、光電気混載基板２の第１後縦溝５１に流入される。
【０１８２】
また、第１後縦溝５１および第３後縦溝５３は、いずれか一方のみが設けられており、その一方に、接着剤１９が第７開口部を介して流入することもできる。
【０１８３】
（第３実施形態）
次に、第３実施形態を説明する。第３実施形態において、上記した第１および第２実施形態と同様の部材および工程については、同一の参照符号を付し、その詳細な説明を省略する。また、第３実施形態は、特記する以外、第１および第２実施形態と同様の作用効果を奏することができる。
【０１８４】
なお、図１５Ａ〜図１５Ｄにおいて、コア層１１は、中央横溝４０、先縦溝６０、先横溝８０（後述）の配置および形状を明確に示すために、省略する。
【０１８５】
図１５Ａ〜図１５Ｄに示すように、コネクタキット１は、後縦溝５０に代えて、先縦溝６０（第１方向一方側に配置される第１方向一方側溝の一例）を備える。
【０１８６】
先縦溝６０は、光電気混載基板２、本体２１および／または蓋２２に備えられる。先縦溝６０は、光電気混載基板２に備えられる第１先縦溝６１および第２先縦溝６２と、本体２１に備えられる第３先縦溝６３と、蓋２２に備えられる第４先縦溝６４との少なくともいずれかを備える。
【０１８７】
次に、先縦溝６０は、第１先縦溝６１と、第２先縦溝６２と、第３先縦溝６３と、第４先縦溝６４とのすべて（４つ）を備える例を説明する。
【０１８８】
第１先縦溝６１と、第２先縦溝６２と、第３先縦溝６３と、第４先縦溝６４とは、いずれも、先後方向に延びる形状を有する。
【０１８９】
以下、第１先縦溝６１と、第２先縦溝６２と、第３先縦溝６３と、第４先縦溝６４とを順に説明する。なお、第２先縦溝６２と、第３先縦溝６３と、第４先縦溝６４とについては、第１先縦溝６１と同様である構成等については、その説明を省略する。
【０１９０】
第１先縦溝６１は、光電気混載基板２の上面に設けられている。第１先縦溝６１の後端部は、装着部１３の中央部に位置する。これにより、第１先縦溝６１の後端部は、第１横溝４１に連通する。一方、第１先縦溝６１の先端部は、装着部１３の先端部であって、先端縁のすぐ手前に位置する。つまり、第１先縦溝６１の先端部は、装着部１３の先端面と先後方向に間隔が隔てられている。要するには、第１先縦溝６１は、装着部１３の中央部から先端縁の直ぐ手前まで延び、装着部１３の先端面に到達しない。第１先縦溝６１の断面形状は、第１横溝４１のそれと同一である。
【０１９１】
第２先縦溝６２は、光電気混載基板２の下面に設けられている。第２先縦溝６２の後端部は、装着部１３の中央部に位置する。これにより、第２先縦溝６２の後端部は、第２横溝４２に連通する。一方、第２先縦溝６２の先端部は、装着部１３の先端部であって、先端縁のすぐ手前に位置する。つまり、第２先縦溝６２の先端部は、装着部１３の先端面と先後方向に間隔が隔てられている。第２先縦溝６２は、装着部１３の中央部から先端縁の直ぐ手前まで延び、装着部１３の先端面に到達しない。要するに、第２先縦溝６２は、光電気混載基板２の上下方向中心に沿う仮想面に対して、面対称に配置および形成されている。
【０１９２】
第３先縦溝６３は、底壁２３の底面に設けられている。第３先縦溝６３の後端部は、第３横溝４３に連通する。一方、第３先縦溝６３の先端部は、光電気混載基板２が収容空間２９に収容されるときに、装着部１３の先端縁の後側に間隔を隔てて配置される。要するには、第３先縦溝６３は、第２先縦溝６２と、光電気混載基板２が収容空間２９に収容されるときに、平面視において重複する形状を有する。第３先縦溝６３の断面形状は、第１先縦溝６１のそれと同一である。
【０１９３】
第４先縦溝６４は、蓋２２の下面に設けられている。第４先縦溝６４の後端部は、第４横溝４４に連通する。一方、第４先縦溝６４の先端部は、光電気混載基板２および本体２１が収容空間２９に収容されるときに、装着部１３の先端縁の後側に間隔を隔てて配置される。要するには、第４先縦溝６４は、光電気混載基板２および本体２１が収容空間２９に収容されるときに、第３先縦溝６３と平面視において重複する形状を有する。第４先縦溝６４の断面形状は、第２先縦溝６２のそれと同一である。
【０１９４】
第３実施形態では、第２工程において、接着剤１９が、開口部７０および中央横溝４０を介して、先縦溝６０に流入する。詳しくは、接着剤１９は、中央横溝４０の幅方向中央部から先縦溝６０の先端部に至り、これにより、接着剤１９は、先縦溝６０に充填される。
【０１９５】
但し、第１先縦溝６１および第４先縦溝６４の先端部と装着部１３の先端面と、第２先縦溝６２および第３先縦溝６３の先端部と装着部１３の先端面とには、それぞれ、先後方向に間隔が隔てられており、それらの間隔においては、光電気混載基板２の上面および蓋２２の下面とが接触し、かつ、光電気混載基板２の下面および本体２１の上面とが接触している。そのため、接着剤１９は、光導波路５の先端面を汚染することが規制される。
【０１９６】
また、先縦溝６０は、光電気混載基板２が収容空間２９に収容され、かつ、蓋２２が本体２１に取り付けられるときに、光電気混載基板２の先端面と重複することもできる。例えば、第２先縦溝６２および第３先縦溝６３の先端部が、光電気混載基板２の先端面から露出することができる。また、第１先縦溝６１および第４先縦溝６４の先端縁が、光電気混載基板２の先端面より先側に位置することもできる。
【０１９７】
好ましくは、先縦溝６０の先端部は、光電気混載基板２の先端面より後側に位置する。これにより、上記した接着剤１９による光導波路５の先端面への汚染を防止することができる。
【０１９８】
また、蓋２２の光電気混載基板２に対する押し付けに基づく蓋２２、光電気混載基板２および本体２１の密着によって、上記した汚染をより一層防止することができる。
【０１９９】
なお、第２工程において、光電気混載基板２を蓋２２によって押し付けることなく、接着剤１９を開口部７０に注入することもできる。
【０２００】
好ましくは、光電気混載基板２を蓋２２によって押し付ける。これによって、蓋２２、光電気混載基板２および本体２１が密着して、上記した接着剤１９の先側への溢れをより一層防止することができる。
【０２０１】
（変形例）
次に、第３実施形態の変形例を説明する。以下の各変形例において、上記した第３実施形態と同様の部材および工程については、同一の参照符号を付し、その詳細な説明を省略する。また、各変形例を適宜組み合わせることができる。さらに、各変形例は、特記する以外、第３実施形態と同様の作用効果を奏することができる。
【０２０２】
図１５Ａ〜図１５Ｄに示すように、第３実施形態のコネクタキット１は、先縦溝６０は、第１先縦溝６１、第２先縦溝６２、第３先縦溝６３および第４先縦溝６４を備える。しかし、先縦溝６０は、これに限定されない。例えば、第１先縦溝６１、第２先縦溝６２、第３先縦溝６３および第４先縦溝６４からなる群から、いずれか３つ、また、いずれか２つ、さらには、いずれか１つを選択して備えることができる。
【０２０３】
また、各先縦溝６０、つまり、第１先縦溝６１、第２先縦溝６２、第３先縦溝６３および第４先縦溝６４のそれぞれは、１つであるが、その数は、これに限定されず、複数であってもよい。
【０２０４】
厚み方向および幅方向に沿う断面において、４つの先縦溝６０は、幅方向において同一位置に配置されているが、例えば、部分的または完全にずれることもできる。
【０２０５】
例えば、図９に示すように、光電気混載基板２が収容空間２９に収容され、かつ、蓋２２が本体２１に取り付けられるときに、第４先縦溝６４が、例えば、第１先縦溝６１に対して右側に間隔を隔てて配置される。これにより、第１先縦溝６１および第４先縦溝６４が、左右（幅）方向にずれる。この場合には、第１先縦溝６１は、蓋２２における第４先縦溝６４以外の下面に面する一方、第４先縦溝６４は、光電気混載基板２における第１先縦溝６１以外の上面に面する。
【０２０６】
一方、第１先縦溝６１および第４先縦溝６４が、幅方向において同一位置に配置される場合には、第１先縦溝６１および第４先縦溝６４が連通する。かかる（境界部分）に充填される接着剤１９は、光電気混載基板２および蓋２２のいずれにも接触しない。
【０２０７】
他方、第１先縦溝６１および第４先縦溝６４が幅方向にずれれば、第１先縦溝６１に充填される接着剤１９は、蓋２２における上記した下面に接触し、第４先縦溝６４に充填される接着剤１９は、光電気混載基板２における上記した上面に接触する。そのため、接着剤１９の蓋２２および光電気混載基板２に対する接触面積を増大させることができる。その結果、蓋２２と光電気混載基板２との接着力をより一層向上させることができる。
【０２０８】
また、光電気混載基板２が収容空間２９に収容され、かつ、蓋２２が本体２１に取り付けられるときに、第２先縦溝６２が、例えば、第３先縦溝６３に対して左側に間隔を隔てて配置される。これにより、第２先縦溝６２および第３先縦溝６３が、左右（幅）方向に完全にずれる。この場合には、第２先縦溝６２は、本体２１における第３先縦溝６３以外の上面（底壁２３の底面）に面する一方、第３先縦溝６３は、光電気混載基板２における第２先縦溝６２以外の下面に面する。
【０２０９】
一方、第２先縦溝６２および第３先縦溝６３が、先後方向において同一位置に配置される場合には、第２先縦溝６２および第３先縦溝６３が連通する。かかる（境界部分）に充填される接着剤１９は、光電気混載基板２および蓋２２のいずれにも接触しない。
【０２１０】
他方、第２先縦溝６２および第３先縦溝６３が先後方向にずれれば、第２先縦溝６２に充填される接着剤１９は、本体２１における上記した上面に接触し、第３先縦溝６３に充填される接着剤１９は、光電気混載基板２における上記した下面に接触する。そのため、接着剤１９の本体２１および光電気混載基板２に対する接触面積を増大させることができる。その結果、本体２１と光電気混載基板２との接着力をより一層向上させることができる。
【０２１１】
図１５Ａ〜図１５Ｄの太い仮想線および図１５Ｅの実線で示すように、先縦溝６０の先端部において、それに連通する先横溝８０を設けることもできる。
【０２１２】
先横溝８０は、幅方向に沿う溝であって、中央横溝４０と同様の断面形状を有する。先横溝８０は、先縦溝６０の先端部に設けられる。先横溝８０は、光電気混載基板２の上面に設けられる第１先横溝８１と、光電気混載基板２の下面に設けられる第２先横溝８２、本体２１の底壁２３の上面に設けられる第３先横溝８３と、蓋２２の下面に設けられる第４先横溝８４との少なくともいずれかを備える。
【０２１３】
さらに、図１５Ｅの仮想線で示すように、上下溝８５を、第３先横溝８３の下端部に連続するように、延出壁２４の内面に設けることもできる。
【０２１４】
上下溝８５は、上下方向に延び、図１６に示すように、延出壁２４の上面に露出している。
【０２１５】
この変形例によれば、先縦溝６０の先に至った接着剤１９は、続いて、先横溝８０に流入する。その後、先横溝８０を上側に進行（上昇）することができる。
【０２１６】
図１７Ａ〜図１７Ｃに示すように、中央横溝４０に代えて、第３開口部７３を設けることもできる。なお、図１７Ａ〜図１７Ｃにおいて、コア層１１は、中央横溝４０および後縦溝５０の配置および形状を明確に示すために、省略する。
【０２１７】
さらに、図１５Ａ〜図１５Ｃの細い仮想線で示すように、先縦溝６０の先端部に第６開口部７６を設けることもできる。
【０２１８】
第６開口部７６は、蓋２２および／または光電気混載基板２に備えられる。例えば、第６開口部７６は、光電気混載基板２に含まれる先下開口６６と、蓋２２に備えられる先上開口６７との少なくともいずれかを備える。
【０２１９】
先下開口６６は、光電気混載基板２の先端部に設けられる。先下開口６６は、光電気混載基板２の厚み方向を貫通し、平面視略矩形状の貫通孔である。先下開口６６は、第２先縦溝６２および第３先縦溝６３の先端部に連通する。
【０２２０】
先上開口６７は、蓋２２の先端部に設けられる。先上開口６７は、蓋２２を厚み方向に貫通し、平面視略矩形状の貫通孔である。先上開口６７は、第４先縦溝６４の先端部に連通する。
【０２２１】
また、図１７Ａ〜図１７Ｃの仮想線で示すように、第３開口部７３と第６開口部７６との両方を設けることもできる。
【０２２２】
別の変形例を説明する。以下、上記した第１〜第３実施形態およびそれらの変形例と同様の部材および工程については、同一の参照符号を付し、その詳細な説明を省略する。また、各変形例を適宜組み合わせることができる。さらに、以下の変形例も、特記する以外、第１〜第３実施形態およびそれらの変形例と同様の作用効果を奏することができる。
【０２２３】
図１８Ａおよび図１８Ｃに示すように、中央横溝４０は、屈曲することもできる。
【０２２４】
図１８Ａに示すように、第４横溝４４（中央横溝４０）は、例えば、蓋２２に含まれており、屈曲点が蓋突出部３０に対して先側に位置する平面視略Ｌ字形状を有する。この場合、中央横溝４０は、光電気混載基板２が収容空間２９に収容され、かつ、蓋２２が本体２１に取り付けられるときに、屈曲点が、光電気混載基板２の先端面より後側に間隔が隔てられるので、図１５Ａで示され、第３実施形態で例示した第４先縦溝６４（先縦溝６０）と同様の作用を奏することができる。
【０２２５】
また、図１８Ｃに示すように、中央横溝４０の屈曲点が、基板突出部１４に対して、後側に位置することもできる。
【０２２６】
さらに、図１８Ｄに示すように、中央横溝４０の屈曲点が、幅方向に投影したときに、本体凹部２５と重複し、かつ、後端部が本体２１の後端面に露出することもできる。そのため、中央横溝４０は、図８Ｄで示され、第２実施形態で例示した第３後縦溝５３（後縦溝５０）と同様の作用を奏することができる。
【０２２７】
図１８Ｂに示すように、後縦溝５０および先縦溝６０を先後方向に連続させて、縦溝５５を形成することもできる。
【０２２８】
縦溝５５は、光電気混載基板２において、光電気混載基板２が収容空間２９に収容され、かつ、蓋２２が本体２１に取り付けられるときに、その先端部が、光電気混載基板２の先端面の直ぐ後側に位置し、その後端部が、コネクタ３の後端面（あるいは装着部１３の後端縁）の直ぐ後に位置する。
【０２２９】
図１９Ａに示すように、先縦溝６０（第４先縦溝６４、図１５Ａ参照）は、幅広で形成されていてもよい。
【０２３０】
図１９Ｂに示すように、後縦溝５０（第１後縦溝５１、図８Ｂ参照）は、幅広で形成されていてもよい。
【０２３１】
図１９Ｃおよび図１９Ｄに示すように、中央横溝４０（第２横溝４２、図１８Ａ参照）は、屈曲点を複数有することができる。中央横溝４０は、屈曲点を複数（４つ）有しており、平面視において蛇行する形状を有する。
【０２３２】
図１９Ｃに示すように、屈曲点は、幅方向に投影したときに、基板突出部１４と重複する位置、および、それに対して先側の位置に位置する。
【０２３３】
一方、図１９Ｃに示すように、屈曲点は、幅方向に投影したときに、本体凹部２５と重複する位置、および、それに対して後側の位置に位置する。
【０２３４】
（具体例）
上記した各実施形態および各変形例のいずれからもどのように組み合わせてもよい。
【０２３５】
その好適な具体例を以下に示す。
【０２３６】
（具体例１）
図２０Ａ〜図２３Ｃに示すように、コネクタキット１は、縦溝５５と、第３横溝４３と、第３後縦溝５３と、第４横溝４４とを備える。
【０２３７】
縦溝５５は、光電気混載基板２の上面に備えられる。なお、光電気混載基板２の下面は、溝を備えない。
【０２３８】
第３横溝４３および第３後縦溝５３は、底壁２３に備えられる。
【０２３９】
第４横溝４４は、蓋２２に備えられる。
【０２４０】
そして、この具体例１では、第１工程において、光電気混載基板２が収容空間２９に収容され、かつ、蓋２２が本体２１に取り付けられると、第３横溝４３の左右両端部のそれぞれは、２つの開口部７０のそれぞれに、連通するとともに、第４横溝４４の左右両端部のそれぞれは、２つの開口部７０のそれぞれに、連通する。また、第４横溝４４には、縦溝５５の先後方向中央部が連通する。さらに、第３横溝４３には、第３後縦溝５３の先端部が連通する。
【０２４１】
第２工程では、接着剤１９は、左側の開口部７０に注入されると、第４横溝４４および第３横溝４３のそれぞれの左端部から、第４横溝４４および第３横溝４３のそれぞれの内部に至り、続いて、第４横溝４４および第３横溝４３のそれぞれを充填して通過し、その後、右側の開口部７０に至る。
【０２４２】
一方、第４横溝４４に充填された接着剤１９は、縦溝５５の先後方向中央部に至り、そして、縦溝５５の先後方向中央部から先後方向に分岐して先後両側に向かって、縦溝５５を充填しながら、進行し、縦溝５５の先後両端部に至る。とりわけ、縦溝５５の後端部では、接着剤１９は、蓋２２の後端面からあふれ出ることが許容される。しかし、接着剤１９は、光電気混載基板２の先端面を汚染しない。
【０２４３】
他方、第３横溝４３に充填された接着剤１９は、第３後縦溝５３の先端部から後側に、第３後縦溝５３を充填しながら、進行し、第３後縦溝５３の後端部に至る。この時、第３後縦溝５３の後端部では、接着剤１９が本体２１の後端面からあふれ出ることが許容される。
【０２４４】
また、図２０Ａ、図２３Ａおよび図２４の仮想線で示すように、さらに、２つの蓋凹部３４と、第５横溝４５とを、蓋２２に備えることもできる。
【０２４５】
第５横溝４５は、光電気混載基板２が収容空間２９に収容され、かつ、蓋２２が本体２１に取り付けられるときに、縦溝５５の先端部に重複するように、位置する。
【０２４６】
２つの蓋凹部３４は、第５横溝４５の左右両端部に連続する。
【０２４７】
この場合には、第１工程において、光電気混載基板２が収容空間２９に収容され、かつ、蓋２２が本体２１に取り付けられると、縦溝５５の先端部は、第５横溝４５に連通する。第５横溝４５は、蓋凹部３４を介して、外部に連通する。
【０２４８】
第２工程では、接着剤１９は、縦溝５５の先端部を通過して、第５横溝４５に至る。つまり、接着剤１９は、縦溝５５の先端部を完全に充填する。
【０２４９】
続いて、接着剤１９は、第５横溝４５を左右両側に（分岐するように）進行して、蓋凹部３４内を充填しながら上昇する。
【０２５０】
このような構成によって、接着剤１９と、光電気混載基板２およびコネクタ３に対する接触面積を増大させながら、光電気混載基板２およびコネクタ３の接着力を向上させる。
【０２５１】
（具体例２）
図２２に示すように、具体例１では、光導波路部材の一例としての光電気混載基板２を例示しているが、例えば、具体的２では、図２５に示すように、光導波路部材の一例は、電気回路基板４を備えず、光導波路５を備える。好ましくは、光導波路部材の一例は、光導波路５のみからなる。
【０２５２】
光導波路５と、光導波路５を収容するコネクタ３とは、光導波路コネクタ８８に備えられる。光導波路コネクタ８８は、好ましくは、光導波路５と、コネクタ３と、接着剤１９とのみからなる。
【０２５３】
（具体例３）
図２６Ａ〜図２８に示すように、コネクタキット１は、第１横溝４１と、第１後縦溝５１と、第３横溝４３と、第３先縦溝６３とを備える。また、コネクタキット１は、第１側開口部７７を備える。さらに、コネクタキット１は、先横溝８０および上下溝８５を備える。なお、蓋２２は、溝を備えない。
【０２５４】
第１横溝４１と、第１後縦溝５１とは、光電気混載基板２の上面に備えられる。なお、光電気混載基板２の下面は、溝を有しない。
【０２５５】
第３先縦溝６３と、第３横溝４３とは、本体２１の底壁２３の底面に備えられる。
【０２５６】
第１側開口部７７、第３先横溝８３および上下溝８５は、本体２１の延出壁２４に備えられる。
【０２５７】
また、図２６Ｄの仮想線および図２７Ｂの仮想線で示すように、延出壁２４には、第２側開口部７８を、第１側開口部７７に加えて、設けることができる。
【０２５８】
第２側開口部７８は、２つの上下溝８５の上下方向中央部に露出するように、２つ設けられる。２つの第２側開口部７８は、左右方向に投影したときに、重複する。
【０２５９】
そして、この具体例３では、第１工程において、光電気混載基板２が収容空間２９に収容され、かつ、蓋２２が本体２１に取り付けられると、第１横溝４１の左右両端部のそれぞれは、２つの開口部７０のそれぞれに連通するとともに、第３横溝４３の左右両端部のそれぞれは、２つの開口部７０のそれぞれに連通する。また、第１横溝４１には、第１後縦溝５１の先端部が連通する。第３横溝４３には、第３先縦溝６３の後端部が連通する。また、第３先縦溝６３の先端部は、第３先横溝８３に連通する。第３先横溝８３は、その上端部において、外部に連通する。なお、開口部７０は、２つの第２側開口部７８を介して、外部に連通する。第３先横溝８３は、上下溝８５を介して外部に連通する。
【０２６０】
そして、第２工程では、接着剤１９は、高い位置にある右側の第１側開口部７７に注入されると、第３横溝４３および第１横溝４１のそれぞれの右端部から、第３横溝４３および第１横溝４１のそれぞれの内部に至り、続いて、第３横溝４３および第１横溝４１のそれぞれを充填して通過し、その後、低い位置にある左側の第１側開口部７７に至る。この際、接着剤１９は、左側の第１側開口部７７から外部に溢れることが許容される。
【０２６１】
一方、第３横溝４３に充填された接着剤１９は、第３先縦溝６３の後端部から先側に、第３先縦溝６３を充填しながら、進行し、第３先縦溝６３の先端部に至る。しかし、接着剤１９は、光電気混載基板２の先端面を汚染しない。また、接着剤１９は、第３先縦溝６３の先端部から第３先横溝８３に至り、第３先横溝８３を左右両側に（分岐するように）進行して、第３先横溝８３の左右両端部に至る。続いて、接着剤１９は、上下溝８５の下端部に入り、上下溝８５内を上昇する。
【０２６２】
他方、第１横溝４１に充填された接着剤１９は、第１後縦溝５１の先端部に至り、そして、第１後縦溝５１の先端部から後側に向かって、第１後縦溝５１を充填しながら、進行し、第１後縦溝５１の後部に至る。とりわけ、第１後縦溝５１の後端部では、接着剤１９は、本体２１の後端面からあふれ出ることが許容される。
【０２６３】
このような構成によって、接着剤１９と、光電気混載基板２およびコネクタ３に対する接触面積を増大させながら、光電気混載基板２およびコネクタ３の接着力を向上させる。
【符号の説明】
【０２６４】
１     コネクタキット
２     光電気混載基板
３     コネクタ
４     電気回路基板
２２   蓋
２１   本体
２３   底壁
２９   収容空間
４０   中央横溝
４１   第１横溝
４２   第２横溝
４３   第３横溝
４４   第４横溝
５０   後縦溝
５１   第１後縦溝
５２   第２後縦溝
５３   第３後縦溝
５４   第４後縦溝
６０   先縦溝
６１   第１先縦溝
６２   第２先縦溝
６３   第３先縦溝
６４   第４先縦溝
７０   開口部
７３   第３開口部
７６   第６開口部
７７   第１側開口部
７８   第２側開口部
８８   光導波路コネクタ
【図１】
2018173635.tif 000003
【図２】
2018173635.tif 000004
【図３】
2018173635.tif 000005
【図４】
2018173635.tif 000006
【図５】
2018173635.tif 000007
【図６】
2018173635.tif 000008
【図７】
2018173635.tif 000009
【図８】
2018173635.tif 000010
【図９】
2018173635.tif 000011
【図１０】
2018173635.tif 000012
【図１１】
2018173635.tif 000013
【図１２】
2018173635.tif 000014
【図１３】
2018173635.tif 000015
【図１４】
2018173635.tif 000016
【図１５】
2018173635.tif 000017
【図１６】
2018173635.tif 000018
【図１７】
2018173635.tif 000019
【図１８】
2018173635.tif 000020
【図１９】
2018173635.tif 000021
【図２０】
2018173635.tif 000022
【図２１】
2018173635.tif 000023
【図２２】
2018173635.tif 000024
【図２３】
2018173635.tif 000025
【図２４】
2018173635.tif 000026
【図２５】
2018173635.tif 000027
【図２６】
2018173635.tif 000028
【図２７】
2018173635.tif 000029
【図２８】
2018173635.tif 000030